(57)【要約】【課題】ネットワークの接続性の低下を防ぐとともに、ネットワークの処理負荷の増大を抑制すること。【解決手段】送受信部１０２は、受信信号よりセルを検出するとともに、所定の周期Ｘで所定の回数Ｙに渡って各セルの受信信号の受信品質を繰り返し測定する。品質判定部１０３は、送受信手段１０２により検出したセルがリレイノードである場合において、送受信手段１０２により所定の回数Ｙに渡って測定したリレイノードの受信品質の何れもが所定の品質を満たしている場合に、所定の品質を満たしているリレイノードを選択する制御を行う。【選択図】図４
2012090114.tif 000002
【特許請求の範囲】
【請求項１】
受信信号よりセルを検出するとともに、所定の周期で所定の回数に渡って各セルの前記受信信号の受信品質を繰り返し測定する送受信手段と、
前記送受信手段により検出したセルが特定のセルである場合において、前記送受信手段により前記所定の回数に渡って測定した前記特定のセルの前記受信品質の何れもが所定の品質を満たしている場合に前記特定のセルを選択する制御を行う判定手段と、
を具備する通信端末装置。
【請求項２】
前記判定手段は、前記所定の回数に渡って測定した前記特定のセルの前記受信品質を示す受信電力の何れもが閾値以上の場合に前記特定のセルを選択する制御を行う請求項１記載の通信端末装置。
【請求項３】
前記特定のセルは、基地局装置と通信する際に前記通信を中継する中継局が形成するセルである請求項１記載の通信端末装置。
【請求項４】
前記特定のセルは、移動可能なセルである請求項３記載の通信端末装置。
【請求項５】
通信端末装置におけるセル選択方法であって、
受信信号よりセルを検出するとともに、所定の周期で所定の回数に渡って各セルの前記受信信号の受信品質を繰り返し測定するステップと、
前記検出したセルが特定のセルである場合において、前記所定の回数に渡って測定した前記特定のセルの前記受信品質の何れもが所定の品質を満たしている場合に前記特定のセルを選択する制御を行うステップと、
を具備するセル選択方法。
【発明の詳細な説明】
【技術分野】
【０００１】
本発明は、通信端末装置及びセル選択方法に関し、例えば通信端末装置と基地局装置との間に中継局を設けるＬＴＥアドバンス（LTE advance）のリレイ方式（Relay System）における通信端末装置及びセル選択方法に関する。
【背景技術】
【０００２】
ＬＴＥアドバンスにおける新規要素技術として、リレイ方式の採用が決定している（例えば、非特許文献１）。リレイ方式は、通信端末装置（ＵＥ）と基地局装置（ｅＮＢ）との間に中継局としてリレイノード（Relay Node）（以下、「ＲＮ」と記載する）を設ける。これにより、リレイ方式では、フレキシブルなセル設計を行うことができる。
【０００３】
また、リレイ方式は、高速データレート用のホットスポット（Hot Spot）の設置、グループモビリティ（group mobility）、またはセルエッジ（cell-edge）のスループットの改善に利用されることが想定される。なかでも、グループモビリティでは、例えば、バスまたは電車等の交通機関内にＲＮを設置し、交通機関内の多数の通信端末装置に対し一括してモビリティ（Mobility）制御を行うことが可能になる。これにより、高速移動時におけるセルリセレクション（cell reselection）またはハンドオーバ（hand over）の頻発に伴うネットワーク（ＮＷ）の負荷の増大及びネットワークの接続性の低下の問題を解消することができる。
【０００４】
次に、上記のリレイ方式における通信端末装置及び基地局装置の動作について、図１〜図３を用いて説明する。図１は、ＲＮが形成するセル外の通信端末装置に向かってＲＮが近づいている状態を示す図である。また、図２は、ＲＮが形成するセル内に通信端末装置が存在する状態を示す図である。また、図３は、ＲＮが形成するセル外の通信端末装置からＲＮが遠ざかっていく状態を示す図である。なお、図１〜図３において、通信端末装置をＵＥ−１と記載するとともに、基地局装置をｅＮＢと記載する。
【０００５】
図１において、ＵＥ−１は、ＲＮが形成するセル（Group mobility RN cell）（以下、「ＲＮセル」と記載する）＃２外に存在し、ｅＮＢが形成するセル（以下、「ｅＮＢセル」と記載する）＃１と通信している。この状態において、ＲＮセル＃２は、ｅＮＢセル＃１内に位置し、ＲＮは、ＵＥ−１の方向に移動してくる。
【０００６】
次に、図２において、ＵＥ−１は、ＲＮセル＃２内に位置することにより、ＲＮセル＃２及びｅＮＢセル＃１の複数のセルを検出する。ＵＥ−１は、複数のセルを検出した場合、検出したセルを評価し、より好ましいセルを選択しようとする。具体的には、ＵＥ−１は、受信電力がより大きいセルを選択する。送信電力が同じであれば、ＵＥ−１における受信電力は、ＵＥ−１との距離が近いセルほど大きくなり、ＵＥ−１は最も近いセルを選択する。従って、ＵＥ−１は、検出した複数のセルのうち、最も受信電力が大きいＲＮセル＃２を選択する。
【０００７】
そして、図３において、ＲＮセル＃２がさらに移動したことにより、ＵＥ−１は、ＲＮセル＃２の外に存在することとなり、再びｅＮＢセル＃１を選択するとともに、ｅＮＢセル＃１と通信を行う。
【先行技術文献】
【非特許文献】
【０００８】
【非特許文献１】Nokia Siemens Networks, "TP to 36.912 on Relays and Aggregation", 3GPP TSG-RAN WG2 Meeting #66bis R2-093694
【発明の概要】
【発明が解決しようとする課題】
【０００９】
しかしながら、従来の装置においては、ＲＮセルが移動することにより、本来ＲＮと接続する必要の無い通信端末装置（図１〜図３においてはＵＥ−１）は、ＲＮセル内に位置するようになった場合に、ＲＮを選択する。これにより、従来の装置においては、ＲＮと接続する必要の無い通信端末装置に、不要なセルを選択する動作を開始させることとなり、ネットワークの接続性の低下及びネットワークの処理負荷の増大を招くという問題がある。
【００１０】
本発明の目的は、ネットワークの接続性の低下を防ぐことができるとともに、ネットワークの処理負荷の増大を抑制することができる通信端末装置及びセル選択方法を提供することである。
【課題を解決するための手段】
【００１１】
本発明の通信端末装置は、受信信号よりセルを検出するとともに、所定の周期で所定の回数に渡って各セルの前記受信信号の受信品質を繰り返し測定する送受信手段と、前記送受信手段により検出したセルが特定のセルである場合において、前記送受信手段により前記所定の回数に渡って測定した前記特定のセルの前記受信品質の何れもが所定の品質を満たしている場合に前記特定のセルを選択する制御を行う判定手段と、を具備する構成を採る。
【００１２】
本発明のセル選択方法は、通信端末装置におけるセル選択方法であって、受信信号よりセルを検出するとともに、所定の周期で所定の回数に渡って各セルの前記受信信号の受信品質を繰り返し測定するステップと、前記検出したセルが特定のセルである場合において、前記所定の回数に渡って測定した前記特定のセルの前記受信品質の何れもが所定の品質を満たしている場合に前記特定のセルを選択する制御を行うステップと、を具備するようにした。
【発明の効果】
【００１３】
本発明によれば、ネットワークの接続性の低下を防ぐことができるとともに、ネットワークの処理負荷の増大を抑制することができる。
【図面の簡単な説明】
【００１４】
【図１】ＲＮが形成するセル外の通信端末装置に向かってＲＮが近づいている状態を示す図
【図２】ＲＮが形成するセル内に通信端末装置が存在する状態を示す図
【図３】ＲＮが形成するセル外の通信端末装置からＲＮが遠ざかっていく状態を示す図
【図４】本発明の実施の形態１に係る通信端末装置の構成を示すブロック図
【図５】本発明の実施の形態１に係る通信端末装置の動作を示すフロー図
【図６】本発明の実施の形態１に係る通信端末装置における時間と受信電力との関係を示す図
【図７】本発明の実施の形態２に係る通信端末装置の構成を示すブロック図
【図８】本発明の実施の形態２に係る通信端末装置の動作を示すフロー図
【図９】本発明の実施の形態２に係る通信端末装置における時間と受信電力との関係を示す図
【図１０】本発明の実施の形態３に係る通信端末装置の構成を示すブロック図
【図１１】本発明の実施の形態３に係る通信端末装置の動作を示すフロー図
【図１２】本発明の実施の形態４におけるＲＮの構成を示すブロック図
【図１３】本発明の実施の形態４におけるＲＮの動作を示すフロー図
【図１４】本発明の実施の形態５におけるＲＮの構成を示すブロック図
【図１５】本発明の実施の形態５におけるＲＮの動作を示すフロー図
【発明を実施するための形態】
【００１５】
以下、本発明の実施の形態について、図面を参照して詳細に説明する。
【００１６】
（実施の形態１）
図４は、本発明の実施の形態１に係る通信端末装置１００の構成を示すブロック図である。
【００１７】
通信端末装置１００は、アンテナ１０１と、送受信部１０２と、品質判定部１０３と、報知情報記憶部１０４とから主に構成される。
【００１８】
アンテナ１０１は、信号を受信して送受信部１０２へ出力する。また、アンテナ１０１は、送受信部１０２から入力した送信信号を送信する。
【００１９】
送受信部１０２は、アンテナ１０１から入力した受信信号を復調及び復号することによりセルを検出する。送受信部１０２は、セルを検出したか否かを、受信信号に含まれる各セルを識別するセル識別子を検出したか否かにより判断する。また、送受信部１０２は、セルを検出した場合に、検出したセルのセル識別子を品質判定部１０３へ出力する。ここで、送受信部１０２が検出するセルは、例えばｅＮＢセルまたはＲＮセル等である。
【００２０】
また、送受信部１０２は、品質判定部１０３の制御により、アンテナ１０１から入力した、受信品質を評価するための参照信号（reference signal）を用いて、各セルの受信品質を測定し、測定結果を品質判定部１０３へ出力する。この際、送受信部１０２は、報知情報記憶部１０４に記憶している判定周期Ｘと、判定回数Ｙと、１回分の測定時間とを報知情報記憶部１０４から読み出して、読み出した判定周期Ｘで、読み出した判定回数Ｙまで繰り返し所定時間に渡って受信品質の測定を行う。そして、送受信部１０２は、測定結果を都度品質判定部１０３へ出力する。送受信部１０２は、例えば、受信品質として受信電力を測定する。
【００２１】
また、送受信部１０２は、品質判定部１０３からの指示に従って、ＲＮまたは基地局装置と接続して通信を行うために必要な接続情報を報知情報記憶部１０４から取得し、取得した接続情報を含む送信信号を生成してアンテナ１０１へ出力する。これにより、通信端末装置１００は、例えば、隣接する基地局装置間、または基地局装置とＲＮとの間でセルを選択する処理（セルリセレクション）を行うことができる。また、送受信部１０２は、受信信号を復号することにより取得した基地局装置からの報知情報を報知情報記憶部１０４に書き込む。
【００２２】
品質判定部１０３は、送受信部１０２から入力したセル識別子を参照してセルを識別する。また、品質判定部１０３は、セル識別子の参照結果と、送受信部１０２から入力した、判定回数Ｙまで繰り返し測定した受信品質の測定結果とに基づいて、ＲＮを選択する制御を行うか否かを判定する判定処理を行う。具体的には、品質判定部１０３は、識別したセルがＲＮセルであり、かつ送受信部１０２において判定回数Ｙまで繰り返し測定した受信品質の測定結果が全て所定の受信品質を満たしている場合に、ＲＮを選択することを送受信部１０２に指示する制御を行う。また、この際、品質判定部１０３は、判定回数Ｙまで繰り返し上記の判定を行う。例えば、品質判定部１０３は、識別したセルがＲＮセルであり、かつ判定回数Ｙまで繰り返し測定した受信電力の全ての測定値が閾値以上である場合に、ＲＮを選択することを送受信部１０２に指示する。ここで、ＲＮセルのセル識別子は、例えばＧ−ＲＮ識別子である。なお、ＲＮセルを選択するか否かを判定する具体的な方法については、後述する。
【００２３】
報知情報記憶部１０４は、判定周期Ｘと、判定回数Ｙと、１回分の測定時間とをあらかじめ記憶する。また、報知情報記憶部１０４は、接続情報をあらかじめ記憶する。また、報知情報記憶部１０４は、送受信部１０２から書き込まれた基地局装置からの報知情報を記憶する。
【００２４】
次に、通信端末装置１００の動作について、図５を用いて説明する。図５は、通信端末装置１００の動作を示すフロー図である。なお、図５の説明においては、受信品質として受信電力を用いる場合を例に説明する。
【００２５】
図５に示す動作は、通信端末装置１００がアイドル（Idle）状態の際に実行される。ここで、アイドル状態とは、通信端末装置１００の電源が投入されており、セルセレクション（cell selection）及びセルリセレクション（cell reselection）が可能な状態を意味する。
【００２６】
図５より、まず、送受信部１０２は、受信信号より各セルを検出するとともに受信電力を測定し、品質判定部１０３は、受信電力の測定結果を取得する（ステップＳＴ２０１）。
【００２７】
次に、品質判定部１０３は、セルセレクション及びセルリセレクションに用いられる遷移判定式が成立するか否かを判定する（ステップＳＴ２０２）。例えば、品質判定部１０３は、遷移判定式として（１）式を用いて判定処理を行う。
検出したセルの受信電力＞閾値      （１）
【００２８】
遷移判定式が成立していない場合には（ステップＳＴ２０２：ＮＯ）、品質判定部１０３は、受信電力の測定を停止してタイマをリセットするとともに、判定回数をリセットするように送受信部１０２を制御する（ステップＳＴ２０３）。そして、その後ステップＳＴ２０１の処理に戻る。ここで、遷移判定式が成立していない場合とは、検出したセルの受信電力が、閾値以下である場合である。
【００２９】
一方、遷移判定式が成立している場合には（ステップＳＴ２０２：ＹＥＳ）、品質判定部１０３は、送受信部１０２において受信電力の測定を開始しているか否かを判定する（ステップＳＴ２０４）。ここで、遷移判定式が成立している場合とは、検出したセルの受信電力が、閾値よりも大きい場合である。
【００３０】
受信電力の測定を開始していない場合には（ステップＳＴ２０４：ＮＯ）、品質判定部１０３は、報知情報記憶部１０４から判定時間Ｔｒｅｓｅｌｅｃｔｉｏｎ＿×××（×××は、無線アクセスネットワーク名）と、判定周期Ｘと、判定回数Ｙとを取得し（ステップＳＴ２０５）、受信電力の測定を開始するように送受信部１０２を制御する（ステップＳＴ２０６）。
【００３１】
ここで、判定時間Ｔｒｅｓｅｌｅｃｔｉｏｎ＿×××は、判定回数Ｙまで受信電力を繰り返し測定する際の１回分の測定時間である。また、判定時間Ｔｒｅｓｅｌｅｃｔｉｏｎ＿×××は、検出したセルの無線アクセスネットワークにより一意に決まり、報知情報によって基地局装置及びＲＮ等より報知される。例えば、検出したセルがＵＴＲＡＮの場合、判定時間Ｔｒｅｓｅｌｅｃｔｉｏｎ＿ＵＴＲＡＮを用いる。
【００３２】
一方、受信電力の測定を開始している場合には（ステップＳＴ２０４：ＹＥＳ）、ステップＳＴ２０５の処理及びステップＳＴ２０６の処理をスキップして、後述するステップＳＴ２０７の処理に進む。
【００３３】
また、品質判定部１０３は、上記の遷移判定式が判定時間Ｔｒｅｓｅｌｅｃｔｉｏｎ＿×××の間、成立し続ける否かを判定する（ステップＳＴ２０７）。
【００３４】
遷移判定式が判定時間Ｔｒｅｓｅｌｅｃｔｉｏｎ＿×××の間、成立したと判定した場合（ステップＳＴ２０７：ＹＥＳ）、品質判定部１０３は、受信電力の測定を停止するとともにタイマをリセットするように送受信部１０２を制御する（ステップＳＴ２０８）。
【００３５】
即ち、品質判定部１０３は、送受信部１０２における測定時間が判定時間Ｔｒｅｓｅｌｅｃｔｉｏｎ＿×××よりも大きいか否かを判定する。そして、品質判定部１０３は、測定時間が判定時間Ｔｒｅｓｅｌｅｃｔｉｏｎ＿×××よりも大きいと判定した場合、受信品質の測定を停止するとともにタイマをリセットするように送受信部１０２を制御する。
【００３６】
一方、上記の遷移判定式が判定時間Ｔｒｅｓｅｌｅｃｔｉｏｎ＿×××の間、成立しないと判定した場合（ステップＳＴ２０７：ＮＯ）、ステップＳＴ２０１の処理に戻る。
【００３７】
また、ステップＳＴ２０８の処理の後、品質判定部１０３は、送受信部１０２により検出したセルがＲＮセルであるか否かを判定する（ステップＳＴ２０９）。
【００３８】
検出したセルがＲＮセルである場合には（ステップＳＴ２０９：ＹＥＳ）、品質判定部１０３は、判定回数カウンタをインクリメントするように送受信部１０２を制御する（ステップＳＴ２１０）。
【００３９】
一方、検出したセルがＲＮセルではない場合には（ステップＳＴ２０９：ＮＯ）、ステップＳＴ２１０の処理及び後述するステップＳＴ２１１の処理をスキップして、後述するステップＳＴ２１２の処理に進む。
【００４０】
また、品質判定部１０３は、送受信部１０２におけるインクリメント後の判定回数がＹよりも大きいか否かを判定する（ステップＳＴ２１１）。
【００４１】
判定回数がＹよりも大きい場合には（ステップＳＴ２１１：ＹＥＳ）、品質判定部１０３は、ＲＮセルを選択する制御を行い（ステップＳＴ２１２）、処理を終了する。
【００４２】
一方、判定回数がＹ以下の場合には（ステップＳＴ２１１：ＮＯ）、品質判定部１０３は、判定周期Ｘの間、測定処理を行わずに待機するように送受信部１０２を制御する（ステップＳＴ２１３）。そして、判定周期Ｘ経過後にステップＳＴ２０１の処理に戻る。
【００４３】
従来、通信端末装置は、凡そ瞬時的な受信電力に基づいてセルを評価しているため、一時的に近づいたＲＮセルに対しても良好なセルと評価してＲＮセルを選択する。一方、本実施の形態は、ＲＮセルを評価する場合、瞬時的な受信電力に基づいて評価するのではなく、一定の時間をあけて複数回にわたり受信電力を評価する。そして、この評価の結果に基づいて、選択すべきセルか否かを判定する。以下に、受信品質の測定処理及び判定処理について、図６を用いてさらに詳細に説明する。
【００４４】
図６は、通信端末装置１００における時間と受信電力との関係を示す図である。
【００４５】
図６の原点Ｏ〜Ａ点においてＲＮセルの受信電力Ｐ０が大きくなっているのは、通信端末装置１００にＲＮセルが近づいているためである。また、Ｂ点以降にＲＮセルの受信電力Ｐ０が小さくなっているのは、通信端末装置１００からＲＮセルが遠ざかっているためである。
【００４６】
図６において、例えば、判定周期はＸで、判定回数は３回（Ｙ＝３）であるものとする。図６より、通信端末装置１００はＲＮセルと接続する必要の無い端末であるが、通信端末装置１００とＲＮセルとが一時的に接近することにより、通信端末装置１００においてＲＮセルの受信電力が一時的に上昇する。この場合、本実施の形態では、通信端末装置１００は、送受信部１０２における受信電力の測定処理及び品質判定部１０３における受信品質の判定処理を、所定の周期を設けて３回繰り返す。従って、送受信部１０２における３回目の受信電力の測定結果は、通信端末装置１００がＲＮセル外になることにより、閾値Ｓ１以下になる。従って、通信端末装置１００は、ＲＮセルの選択を行わない。
【００４７】
因みに、図６のような場合、従来の通信端末装置は、ＲＮセルの受信電力と閾値Ｓ１との比較を１回行うだけである。従って、従来の通信端末装置は、１回目の判定の際にＲＮセルの受信電力が閾値Ｓ１以上であるので、ＲＮセルを選択する。また、従来の通信端末装置は、３回目の受信品質の判定処理の際にＲＮセルの受信電力が閾値Ｓ１以下になるので、再びｅＮＢセルを選択する。このように、従来では、セルを選択する処理が頻発する可能性があり、ネットワークの接続性の低下及びネットワークの処理負荷の増大を招く。
【００４８】
このように、本実施の形態では、受信品質の測定処理及び判定処理を所定の周期で繰り返し行い、全ての判定処理において受信品質が良好である結果が得られた場合に、受信品質が良好なセルを選択する。これより、本実施の形態によれば、ネットワークの接続性の低下を防ぐことができるとともに、ネットワークの処理負荷の増大を抑制することができる。
【００４９】
また、本実施の形態によれば、所定の周期で間欠的に受信品質の測定処理及び判定処理を行うので、消費電流の増大を抑制することができる。
【００５０】
なお、本実施の形態において、判定周期Ｘ及び判定回数Ｙは、上記の場合に限らず、システムに応じて任意の値に変更することができる。
【００５１】
（実施の形態２）
図７は、本発明の実施の形態２に係る通信端末装置３００の構成を示すブロック図である。
【００５２】
通信端末装置３００は、アンテナ３０１と、送受信部３０２と、品質判定部３０３と、報知情報記憶部３０４とから主に構成される。
【００５３】
アンテナ３０１は、信号を受信して送受信部３０２へ出力する。また、アンテナ３０１は、送受信部３０２から入力した送信信号を送信する。
【００５４】
送受信部３０２は、アンテナ３０１から入力した受信信号を復調及び復号することによりセルを検出する。送受信部３０２は、セルを検出したか否かを、受信信号に含まれる各セルを識別するセル識別子を検出したか否かにより判断する。また、送受信部３０２は、セルを検出した場合に、検出したセルのセル識別子を品質判定部３０３へ出力する。ここで、送受信部３０２が検出するセルは、例えばｅＮＢセルまたはＲＮセル等である。
【００５５】
また、送受信部３０２は、品質判定部３０３の制御により、アンテナ３０１から入力した、受信品質を評価するための参照信号を用いて、各セルの受信品質を測定し、測定結果を品質判定部３０３へ出力する。この際、送受信部３０２は、報知情報記憶部３０４に記憶している判定時間（Treselection_GRN）を報知情報記憶部３０４から読み出して、読み出した判定時間において受信品質の測定を行う。そして、送受信部３０２は、測定結果を品質判定部３０３へ出力する。例えば、送受信部３０２は、受信品質として受信電力を測定する。
【００５６】
ここで、判定時間は、例えば３０秒以上の時間を設定することができる。また、判定時間は、３０秒以上の場合に限らず、信号待ちの時間よりも長い時間、電車が駅に停車している時間よりも長い時間、またはバスがバス停に停車している時間よりも長い時間等の、従来よりも長い任意の時間を設定することができる。即ち、判定時間は、ＲＮを設置する交通機関が一時的に停車している場合に、ＲＮセル内に一時的に存在する通信端末装置が、ＲＮセルを選択しない任意の時間を設定することができる。
【００５７】
また、送受信部３０２は、品質判定部３０３からの指示に従って、ＲＮまたは基地局装置と接続して通信を行うために必要な接続情報を報知情報記憶部３０４から取得し、取得した接続情報を含む送信信号を生成してアンテナ３０１へ出力する。これにより、通信端末装置３００は、例えば、隣接する基地局装置間、または基地局装置とＲＮとの間でセルを選択する処理を行うことができる。また、送受信部３０２は、受信信号を復号することにより取得した基地局装置からの報知情報を報知情報記憶部３０４に書き込む。
【００５８】
品質判定部３０３は、送受信部３０２から入力したセル識別子を参照してセルを識別する。また、品質判定部３０３は、セル識別子の参照結果と、送受信部３０２から入力した、所定の判定時間内における受信品質の測定結果とに基づいて、ＲＮを選択する制御を行うか否かを判定する判定処理を行う。具体的には、品質判定部３０３は、識別したセルがＲＮセルであり、かつ送受信部３０２において所定の判定時間内に測定した受信品質の測定結果が、判定時間内で常に所定の受信品質を満たしている場合に、ＲＮを選択することを送受信部３０２に指示する制御を行う。例えば、品質判定部３０３は、識別したセルがＲＮセルであり、かつ所定の判定時間内に測定したＲＮセルの受信電力が、常にＲＮセル以外のセルの受信電力以上である場合に、ＲＮを選択することを送受信部３０２に指示する。また、この際、品質判定部３０３は、報知情報記憶部３０４に記憶している報知情報を報知情報記憶部３０４から読み出して、読み出した報知情報も用いて上記の判定処理を行う。ここで、ＲＮセルのセル識別子は、例えばＧ−ＲＮ識別子である。なお、ＲＮセルを選択するか否かを判定する具体的な方法については、後述する。
【００５９】
報知情報記憶部３０４は、判定時間をあらかじめ記憶する。また、報知情報記憶部３０４は、接続情報をあらかじめ記憶する。また、報知情報記憶部３０４は、送受信部３０２から書き込まれた基地局装置からの報知情報を記憶する。
【００６０】
次に、通信端末装置３００の動作について、図８を用いて説明する。図８は、通信端末装置３００の動作を示すフロー図である。なお、図８の説明においては、受信品質として受信電力を用いる場合を例に説明する。
【００６１】
図８に示す動作は、通信端末装置３００がアイドル状態の際に実行される。
【００６２】
図８より、まず、送受信部３０２は、受信信号より各セルを検出するとともに受信電力を測定し、品質判定部３０３は、受信電力の測定結果を取得する（ステップＳＴ４０１）。
【００６３】
次に、品質判定部３０３は、セルセレクション及びセルリセレクションに用いられる遷移判定式が成立する否かを判定する（ステップＳＴ４０２）。ここで、セルセレクション及びセルリセレクションに用いられる遷移判定式とは、３ＧＰＰで規定されている従来の判定式を意味し、検出したセルの無線アクセスネットワークにより、判定に使用するパラメータや判定式が異なる。従って、検出したセルの無線アクセスネットワークに応じて、遷移判定式の成立を判定する。例えば、品質判定部３０３は、遷移判定式として（２）式を用いて判定処理を行う。
検出したセルの受信電力＞待機しているセルの受信電力＋ＱＨｙｓｔ      （２）
【００６４】
ここで、（２）式において、ＱＨｙｓｔは、隣接するセルの境界においてセルを選択する処理を頻発させないためのヒステリシスであり、報知情報記憶部３０４に記憶する報知情報を用いて、セルから通信端末装置３００に通知され、セル毎に固定の値である。
【００６５】
本実施の形態では、品質判定部３０３は、（２）式を用いて、ｅＮＢセル間でセルリセレクションするか否かを判定することに加えて、ｅＮＢセルとＲＮセルとの間でセルリセレクションするか否かも判定する。即ち、品質判定部３０３は、送受信部３０２において検出したセルが連続してｅＮＢセルである場合には前者の判定を行う。一方、品質判定部３０３は、送受信部３０２において検出したセルがｅＮＢセルからＲＮセル、またはＲＮセルからｅＮＢセルに変わった場合には後者の判定を行う。なお、送受信部３０２において検出したセルがｅＮＢセルであるかＲＮセルであるかの品質判定部３０３における判定は、後述するステップＳＴ４０４の処理において行う。
【００６６】
遷移判定式が成立していない場合には（ステップＳＴ４０２：ＮＯ）、品質判定部３０３は、受信電力の測定を停止してタイマをリセットするように送受信部３０２を制御する（ステップＳＴ４０３）。そして、その後ステップＳＴ４０１の処理に戻る。
【００６７】
一方、遷移判定式が成立している場合には（ステップＳＴ４０２：ＹＥＳ）、品質判定部３０３は、送受信部３０２により検出したセルがＲＮセルであるか否かを判定する（ステップＳＴ４０４）。
【００６８】
検出したセルがＲＮセルである場合には（ステップＳＴ４０４：ＹＥＳ）、品質判定部３０３は、送受信部３０２において受信電力の測定を開始しているか否かを判定する（ステップＳＴ４０５）。
【００６９】
受信電力の測定を開始していない場合には（ステップＳＴ４０５：ＮＯ）、品質判定部３０３は、報知情報記憶部３０４から、ＲＮセル専用のパラメータである判定時間Ｔｒｅｓｅｌｅｃｔｉｏｎ＿ＧＲＮを取得し（ステップＳＴ４０６）、受信電力の測定を開始するように送受信部３０２を制御する（ステップＳＴ４０７）。
【００７０】
一方、受信電力の測定を開始している場合には（ステップＳＴ４０５：ＹＥＳ）、ステップＳＴ４０６の処理及びステップＳＴ４０７の処理をスキップして、ステップＳＴ４０８の処理に進む。
【００７１】
また、品質判定部３０３は、遷移判定式が判定時間Ｔｒｅｓｅｌｅｃｔｉｏｎ＿ＧＲＮの間、成立し続ける否かを判定する（ステップＳＴ４０８）。
【００７２】
遷移判定式が成立すると判定した場合（ステップＳＴ４０８：ＹＥＳ）、品質判定部３０３は、ＲＮセルを選択する制御を行い（ステップＳＴ４０９）、処理を終了する。
【００７３】
即ち、品質判定部３０３は、送受信部３０２における測定時間が判定時間Ｔｒｅｓｅｌｅｃｔｉｏｎ＿ＧＲＮよりも大きいか否かを判定する。そして、品質判定部３０３は、測定時間が判定時間Ｔｒｅｓｅｌｅｃｔｉｏｎ＿ＧＲＮよりも大きいと判定した場合、ＲＮセルを選択する制御を行う。
【００７４】
一方、遷移判定式が判定時間Ｔｒｅｓｅｌｅｃｔｉｏｎ＿ＧＲＮの間、成立しないと判定した場合（ステップＳＴ４０８：ＮＯ）、ステップＳＴ４０１の処理に戻る。
【００７５】
また、ステップＳＴ４０４の処理において、検出したセルがＲＮセルではない場合には（ステップＳＴ４０４：ＮＯ）、品質判定部３０３は、送受信部３０２において受信電力の測定を開始しているか否かを判定する（ステップＳＴ４１０）。
【００７６】
受信電力の測定を開始していない場合には（ステップＳＴ４１０：ＮＯ）、品質判定部３０３は、報知情報記憶部３０４から、判定時間Ｔｒｅｓｅｌｅｃｔｉｏｎ＿×××を取得し（ステップＳＴ４１１）、受信電力の測定を開始するように送受信部３０２を制御する（ステップＳＴ４１２）。
【００７７】
ここで、判定時間Ｔｒｅｓｅｌｅｃｔｉｏｎ＿×××は、受信電力の測定時間である。また、判定時間Ｔｒｅｓｅｌｅｃｔｉｏｎ＿×××は、検出したセルの無線アクセスネットワークにより一意に決まり、報知情報記憶部３０４に記憶した報知情報によって、基地局装置及びＲＮ等より報知される。例えば、検出したセルがＵＴＲＡＮの場合、判定時間Ｔｒｅｓｅｌｅｃｔｉｏｎ＿ＵＴＲＡＮを用いる。
【００７８】
一方、受信電力の測定を開始している場合には（ステップＳＴ４１０：ＹＥＳ）、ステップＳＴ４１１の処理及びステップＳＴ４１２の処理をスキップして、ステップＳＴ４１３の処理に進む。
【００７９】
また、品質判定部３０３は、遷移判定式が判定時間Ｔｒｅｓｅｌｅｃｔｉｏｎ＿×××の間、成立し続ける否かを判定する（ステップＳＴ４１３）。
【００８０】
遷移判定式が成立すると判定した場合には（ステップＳＴ４１３：ＹＥＳ）、品質判定部３０３は、ＲＮセルを選択する制御を行い（ステップＳＴ４０９）、処理を終了する。
【００８１】
即ち、品質判定部３０３は、送受信部３０２における測定時間が判定時間Ｔｒｅｓｅｌｅｃｔｉｏｎ＿×××よりも大きいか否かを判定する。そして、品質判定部３０３は、測定時間が判定時間Ｔｒｅｓｅｌｅｃｔｉｏｎ＿×××よりも大きいと判定した場合、測定を停止するとともにタイマをリセットするように送受信部３０２を制御する。
【００８２】
一方、遷移判定式が判定時間Ｔｒｅｓｅｌｅｃｔｉｏｎ＿×××の間、成立しないと判定した場合（ステップＳＴ４１３：ＮＯ）、ステップＳＴ４０１の処理に戻る。
【００８３】
従来は、受信電力の安定性を図るためにのみ受信品質の判定時間を設けている。従って、従来では、判定時間は非常に短く(数秒オーダー)、通信端末装置は、一時的に近づいたＲＮセルを選択してしまう。
【００８４】
これに対して、本実施の形態では、一時的に近づいたＲＮセルを選択の対象から除外するため、ＲＮセル専用の判定時間Ｔｒｅｓｅｌｅｃｔｉｏｎ＿ＧＲＮを設ける。以下に、受信品質の測定処理及び判定処理について、図９を用いてさらに詳細に説明する。
【００８５】
図９は、通信端末装置３００における時間と受信電力との関係を示す図である。
【００８６】
図９の原点Ｏ〜Ａ点においてＲＮセルの受信電力Ｐ２が大きくなっているのは、通信端末装置３００にＲＮセルが近づいているためである。また、Ｂ点以降にＲＮセルの受信電力Ｐ２が小さくなっているのは、通信端末装置からＲＮセルが遠ざかっているためである。
【００８７】
通信端末装置３００は、ｅＮＢセルの受信電力Ｐ１とＲＮセルの受信電力Ｐ２とを比較し、ある一定時間である判定時間Ｔｒｅｓｅｌｅｃｔｉｏｎ＿ＧＲＮの間において、ＲＮセルの受信電力Ｐ２がｅＮＢセルの受信電力Ｐ１を常に上回り続けた場合に、ＲＮセルを選択する。
【００８８】
因みに、図９に参考として記載したように、従来の判定時間Ｔｐは、７秒であり短い。従って、従来の通信端末装置は、判定時間Ｔｐの間において、ＲＮセルの受信電力Ｐ２がｅＮＢセルの受信電力Ｐ１を上回り続けた場合には、一時的に近づいたＲＮセルを選択してしまう。この結果、従来では、セルリセレクション処理が頻発する可能性があり、ネットワークの接続性の低下及びネットワークの処理負荷の増大を招く。
【００８９】
このように、本実施の形態によれば、受信品質の測定処理及び判定処理の時間を従来よりも長く設定してセルを選択するべきか否かを判定するので、ネットワークの接続性の低下を防ぐことができるとともに、ネットワークの処理負荷の増大を抑制することができる。
【００９０】
（実施の形態３）
図１０は、本発明の実施の形態３に係る通信端末装置５００の構成を示すブロック図である。
【００９１】
通信端末装置５００は、アンテナ５０１と、送受信部５０２と、相対速度算出部５０３と、品質判定部５０４と、報知情報記憶部５０５とから主に構成される。
【００９２】
アンテナ５０１は、信号を受信して送受信部５０２へ出力する。また、アンテナ５０１は、送受信部５０２から入力した送信信号を送信する。
【００９３】
送受信部５０２は、アンテナ５０１から入力した受信信号を復調及び復号することによりセルを検出する。送受信部５０２は、セルを検出したか否かを、受信信号に含まれる各セルを識別するセル識別子を検出したか否かにより判断する。また、送受信部５０２は、セルを検出した場合に、検出したセルのセル識別子を相対速度算出部５０３及び品質判定部５０４へ出力する。ここで、送受信部５０２が検出するセルは、例えばｅＮＢセルまたはＲＮセル等である。
【００９４】
また、送受信部５０２は、品質判定部５０４の制御により、アンテナ５０１から入力した、受信品質を評価するための参照信号（reference signal）を用いて受信品質を測定し、測定結果を品質判定部５０４へ出力する。
【００９５】
また、送受信部５０２は、品質判定部５０４からの指示に従って、ＲＮまたは基地局装置と接続して通信を行うために必要な接続情報を報知情報記憶部５０５から取得し、取得した接続情報を含む送信信号を生成してアンテナ５０１へ出力する。これにより、通信端末装置５００は、例えば、隣接する基地局装置間、または基地局装置とＲＮとの間でセルリセレクションを行うことができる。また、送受信部５０２は、受信信号を復号することにより取得した基地局装置からの報知情報を報知情報記憶部５０５に書き込む。また、送受信部５０２は、受信信号を相対速度算出部５０３へ出力する。
【００９６】
相対速度算出部５０３は、送受信部５０２から入力したセル識別子を参照してセルを識別する。また、相対速度算出部５０３は、識別したセルがＲＮセルである場合には、送受信部５０２から入力した受信信号よりＲＮセルの相対速度を算出する。また、相対速度算出部５０３は、算出した相対速度の算出結果を品質判定部５０４へ出力する。相対速度算出部５０３は、例えば相対速度としてドップラー周波数（ｆＤ）を算出する。
【００９７】
品質判定部５０４は、送受信部５０２から入力したセル識別子を参照してセルを識別する。また、品質判定部５０４は、セル識別子の参照結果と、送受信部１０２から入力した受信品質の測定結果と、相対速度算出部５０３から入力した相対速度の算出結果とに基づいて、ＲＮを選択する制御を行うか否かを判定する判定処理を行う。具体的には、品質判定部５０４は、識別したセルがＲＮセルであり、かつ送受信部５０２において測定した受信品質の測定結果が所定の受信品質を満たしており、かつ相対速度が閾値以下である場合に、ＲＮを選択してＲＮを選択することを送受信部５０２に指示する制御を行う。例えば、品質判定部５０４は、識別したセルがＲＮセルであり、かつ測定したＲＮセルの受信電力が閾値以上であり、かつ相対速度が閾値以下の場合に、ＲＮを選択することを送受信部５０２に指示する。
【００９８】
報知情報記憶部５０５は、閾値をあらかじめ記憶する。また、報知情報記憶部５０５は、接続情報をあらかじめ記憶する。また、報知情報記憶部５０５は、送受信部５０２から書き込まれた基地局装置からの報知情報を記憶する。
【００９９】
次に、通信端末装置５００の動作について、図１１を用いて説明する。図１１は、通信端末装置５００の動作を示すフロー図である。なお、図１１の説明においては、受信品質として受信電力を用いる場合を例に説明する。
【０１００】
図１１に示す動作は、通信端末装置５００がアイドル状態の際に実行される。
【０１０１】
図１１より、まず、送受信部５０２は、受信信号より各セルを検出するとともに受信電力を測定するとともに、相対速度算出部５０３は、相対速度を算出し、品質判定部５０４は、受信電力の測定結果及び相対速度の算出結果を取得する（ステップＳＴ６０１）。
【０１０２】
次に、品質判定部５０４は、セルセレクション及びセルリセレクションに用いられる遷移判定式が成立する否かを判定する（ステップＳＴ６０２）。なお、セルセレクション及びセルリセレクションに用いられる遷移判定式は、上記の（１）式と同様であるので、その説明を省略する。
【０１０３】
遷移判定式が成立していない場合には（ステップＳＴ６０２：ＮＯ）、品質判定部５０４は、受信電力の測定を停止してタイマをリセットするように送受信部５０２を制御する（ステップＳＴ６０３）。そして、その後ステップＳＴ６０１の処理に戻る。
【０１０４】
一方、遷移判定式が成立している場合には（ステップＳＴ６０２：ＹＥＳ）、品質判定部５０４は、送受信部５０２により検出したセルがＲＮセルであるか否かを判定する（ステップＳＴ６０４）。
【０１０５】
検出したセルがＲＮセルである場合には（ステップＳＴ６０４：ＹＥＳ）、品質判定部５０４は、送受信部５０２において受信電力の測定を開始しているか否かを判定する（ステップＳＴ６０５）。
【０１０６】
受信電力の測定を開始していない場合には（ステップＳＴ６０５：ＮＯ）、品質判定部５０４は、報知情報記憶部５０５から閾値Ｔを読み出して取得し（ステップＳＴ６０６）、受信電力の測定を開始するように送受信部５０２を制御する（ステップＳＴ６０７）。
【０１０７】
一方、受信電力の測定を開始している場合には（ステップＳＴ６０５：ＹＥＳ）、ステップＳＴ６０６の処理及びステップＳＴ６０７の処理をスキップして、後述するステップＳＴ６０８の処理に進む。
【０１０８】
また、品質判定部５０４は、ステップＳＴ６０１の処理で取得した相対速度の算出結果が、閾値Ｔよりも大きいか否かを判定する（ステップＳＴ６０８）。
【０１０９】
相対速度の算出結果が閾値Ｔより大きい場合には（ステップＳＴ６０８：ＹＥＳ）、処理を終了する。
【０１１０】
一方、相対速度の算出結果が閾値Ｔ以下の場合には（ステップＳＴ６０８：ＮＯ）、品質判定部５０４は、遷移判定式が判定時間Ｔｒｅｓｅｌｅｃｔｉｏｎ＿×××の間、成立し続ける否かを判定する（ステップＳＴ６０９）。即ち、品質判定部５０４は、送受信部５０２における測定時間が判定時間Ｔｒｅｓｅｌｅｃｔｉｏｎ＿×××よりも大きいか否かを判定する。
【０１１１】
遷移判定式が成立すると判定した場合には（ステップＳＴ６０９：ＹＥＳ）、品質判定部５０４は、ＲＮセルを選択する制御を行い（ステップＳＴ６１０）、その後処理を終了する。即ち、品質判定部５０４は、測定時間が判定時間Ｔｒｅｓｅｌｅｃｔｉｏｎ＿×××よりも大きいと判定した場合、ＲＮを選択する制御を行い、その後処理を終了する。
【０１１２】
一方、遷移判定式が成立しないと判定した場合には（ステップＳＴ６０９：ＮＯ）、ステップＳＴ６０１の処理に戻る。
【０１１３】
また、ステップＳＴ６０４の処理において、検出したセルがＲＮセルではない場合には（ステップＳＴ６０４：ＮＯ）、品質判定部５０４は、送受信部５０２において受信電力の測定を開始しているか否かを判定する（ステップＳＴ６１１）。
【０１１４】
受信電力の測定を開始していない場合には（ステップＳＴ６１１：ＮＯ）、品質判定部５０４は、受信電力の測定を開始するように送受信部５０２を制御し（ステップＳＴ６１２）、ステップＳＴ６０９の処理に進む。
【０１１５】
一方、受信電力の測定を開始している場合には（ステップＳＴ６１１：ＹＥＳ）、ステップＳＴ６１２の処理をスキップして、ステップＳＴ６０９の処理に進む。
【０１１６】
因みに、従来は、セルと通信端末装置の絶対速度に応じて、評価パラメータを調整する仕様となっている。この評価パラメータの調整により、高速移動する通信端末装置は、セルの選択をスムーズに行うことができる。
【０１１７】
一方、本実施の形態では、通信端末装置５００がＲＮセルを選択するべきであるか否かを正しく判定することを目的としている。上記の判定は、通信端末装置５００がＲＮを設置した公共交通機関に乗車しているか否かに依存する。従って、従来のように通信端末装置５００の絶対速度を用いるのではなく、ＲＮと通信端末装置５００の相対速度を用いることにより、ＲＮセルを選択するか否かを正しく判定することができる。即ち、通信端末装置５００は、ＲＮの相対速度が小さい場合、ＲＮを設置した公共交通機関に乗車しており、ＲＮの相対速度が大きい場合、ＲＮを設置した公共交通機関に乗車していないと判断することができる。これにより、通信端末装置５００は、ＲＮセルを選択するか否かを正しく判定することができる。
【０１１８】
このように、本実施の形態によれば、ＲＮの相対速度を用いてセルを選択するべきか否かを判定するので、ネットワークの接続性の低下を防ぐことができるとともに、ネットワークの処理負荷の増大を抑制することができる。
【０１１９】
（実施の形態４）
図１２は、本発明の実施の形態４に係るＲＮ７００の構成を示すブロック図である。
【０１２０】
ＲＮ７００は、アンテナ７０１と、送受信部７０２と、位置判定部７０３と、報知情報記憶部７０４とから主に構成される。
【０１２１】
アンテナ７０１は、信号を受信して送受信部７０２へ出力する。また、アンテナ７０１は、送受信部７０２から入力した送信信号を送信する。
【０１２２】
送受信部７０２は、アンテナ７０１から入力した受信信号を復調及び復号して図示しない通信端末装置の位置情報を生成し、生成した位置情報を位置判定部７０３へ出力する。また、送受信部７０２は、報知情報記憶部７０４に記憶している報知情報を報知情報記憶部７０４から読み出して、読み出した報知情報を含む送信信号を生成してアンテナ７０１へ出力する。また、送受信部７０２は、位置判定部７０３に指示に従って、報知情報記憶部７０４に記憶している遷移許可識別子を報知情報記憶部７０４から読み出して、読み出した遷移許可識別子を含む送信信号を生成してアンテナ７０１へ出力する。ここで、位置情報は、例えば、通信端末装置が所定の駅またはバス停に近づいた際に、近づいた駅またはバス停の位置の情報に基づいて生成することができる。
【０１２３】
位置判定部７０３は、送受信部７０２から入力した位置情報に基づいて、通信端末装置に対してセルの選択を許可するか否かを判定する判定処理を行う。また、位置判定部７０３は、判定処理の判定結果に応じた遷移許可識別子を通信端末装置に送信することを送受信部７０２に指示する。
【０１２４】
報知情報記憶部７０４は、報知情報及び遷移許可識別子をあらかじめ記憶する。
【０１２５】
次に、ＲＮ７００の動作について、図１３を用いて説明する。図１３は、ＲＮ７００の動作を示すフロー図である。
【０１２６】
最初に、送受信部７０２は、位置情報を生成し、位置判定部７０３は、位置情報を取得する（ステップＳＴ８０１）。
【０１２７】
次に、位置判定部７０３は、取得した位置情報が所定の位置であるか否かを判定する（ステップＳＴ８０２）。例えば、位置判定部７０３は、取得した位置情報が駅またはバス停等の位置であるか否かを判定する。
【０１２８】
所定の位置である場合には（ステップＳＴ８０２：ＹＥＳ）、位置判定部７０３は、セルの選択を許可する遷移許可識別子＝ＯＫを送信することを送受信部７０２に指示する（ステップＳＴ８０３）。そして、送受信部７０２は、アンテナ７０１を介して遷移許可識別子＝ＯＫを送信した後に処理を終了する。
【０１２９】
一方、所定の位置ではない場合には（ステップＳＴ８０２：ＮＯ）、位置判定部７０３は、セルの選択を許可しない遷移許可識別子＝ＮＧを送信することを送受信部７０２に指示する（ステップＳＴ８０４）。そして、送受信部７０２は、アンテナ７０１を介して遷移許可識別子＝ＮＧを送信した後に処理を終了する。
【０１３０】
ここで、公共交通機関に通信端末装置が乗車する位置、または時間は凡そ決まっている。例えば、通信端末装置は、バス停でのみバスに乗車することができる。また、通信端末装置は、駅でのみ電車に乗車することができる。従って、ＲＮ７００をバスまたは電車等の公共交通機関内に設置した場合、ＲＮ７００は、バス停または駅に位置する通信端末装置にのみ遷移許可識別子を「許可」として報知し、それ以外の場所に位置する通信端末装置には遷移許可識別子を「不許可」として報知する。これにより、乗車する予定のない通信端末装置がＲＮ７００を選択することがなくなるため、不要な動作を抑制することができる。
【０１３１】
このように、本実施の形態によれば、通信端末装置の位置に応じた遷移許可識別子を送信することにより、ネットワークの接続性の低下を防ぐことができるとともに、ネットワークの処理負荷の増大を抑制することができる。
【０１３２】
なお、本実施の形態において、通信端末装置の位置に応じた遷移許可識別子を送信したが、本実施の形態はこれに限らず、通信端末装置がバス停または駅に居る時刻に応じた遷移許可識別子を送信するようにしてもよい。即ち、バスまたは電車等の公共交通機関は、時刻表に従って運行されるので、公共交通機関がバス停または駅に到着する時間にバス停または駅に居る通信端末装置に対して遷移許可識別子を「許可」として報知することができる。この場合でも、通信端末装置における不要なセルを選択するための処理であるセルリセレクションを抑制することができる。
【０１３３】
（実施の形態５）
図１４は、本発明の実施の形態５に係るＲＮ９００の構成を示すブロック図である。
【０１３４】
ＲＮ９００は、アンテナ９０１と、送受信部９０２と、相対速度判定部９０３と、報知情報記憶部９０４とから主に構成される。
【０１３５】
アンテナ９０１は、信号を受信して送受信部９０２へ出力する。また、アンテナ９０１は、送受信部９０２から入力した送信信号を送信する。
【０１３６】
送受信部９０２は、アンテナ９０１から入力した受信信号を復調及び復号して通信端末装置の相対速度を算出し、算出した相対速度の算出結果を相対速度判定部９０３へ出力する。また、送受信部９０２は、報知情報記憶部９０４に記憶している報知情報を報知情報記憶部９０４から読み出して、読み出した報知情報を含む送信信号を生成してアンテナ９０１へ出力する。また、送受信部９０２は、相対速度判定部９０３に指示に従って、報知情報記憶部９０４に記憶している遷移許可識別子を報知情報記憶部９０４から読み出して、読み出した遷移許可識別子を含む送信信号を生成してアンテナ９０１へ出力する。送受信部９０２は、例えば相対速度としてドップラー周波数（ｆＤ）を算出する。
【０１３７】
相対速度判定部９０３は、報知情報記憶部９０４に記憶している閾値を報知情報記憶部９０４から読み出す。また、相対速度判定部９０３は、送受信部９０２から入力した相対速度の算出結果と報知情報記憶部９０４から読み出した閾値とに基づいて、通信端末装置に対してセルの選択を許可するか否かを判定する判定処理を行う。また、相対速度判定部９０３は、判定処理の判定結果に応じた遷移許可識別子を通信端末装置に送信することを送受信部９０２に指示する。
【０１３８】
報知情報記憶部９０４は、報知情報と、遷移許可識別子と、閾値とをあらかじめ記憶する。
【０１３９】
次に、ＲＮ９００の動作について、図１５を用いて説明する。図１５は、ＲＮ９００の動作を示すフロー図である。
【０１４０】
最初に、送受信部９０２は、通信端末装置の相対速度を算出し、相対速度判定部９０３は、相対速度の算出結果を取得する（ステップＳＴ１００１）。
【０１４１】
次に、相対速度判定部９０３は、取得した相対速度の算出結果が閾値より小さいか否かを判定する（ステップＳＴ１００２）。
【０１４２】
相対速度の算出結果が閾値より小さい場合には（ステップＳＴ１００２：ＹＥＳ）、相対速度判定部９０３は、セルの選択を許可する遷移許可識別子＝ＯＫを送信することを送受信部９０２に指示する（ステップＳＴ１００３）。そして、送受信部９０２は、アンテナ９０１を介して遷移許可識別子＝ＯＫを送信した後に処理を終了する。
【０１４３】
一方、相対速度の算出結果が閾値以上の場合には（ステップＳＴ１００２：ＮＯ）、相対速度判定部９０３は、セルの選択を許可しない遷移許可識別子＝ＮＧを送信することを送受信部９０２に指示する（ステップＳＴ１００４）。そして、送受信部９０２は、アンテナ９０１を介して遷移許可識別子＝ＮＧを送信した後に処理を終了する。
【０１４４】
本実施の形態では、通信端末装置の相対速度を算出することで、通信端末装置が公共交通機関に乗車しているか否かを判定し、この判定結果に応じた遷移許可識別子を送信する。即ち、通信端末装置の相対速度が「０」付近の場合は、通信端末装置が公共交通機関に乗車していると考えられ、通信端末装置の相対速度が「０」付近ではない場合は、通信端末装置が公共交通機関に乗車していないと考えられる。従って、通信端末装置の相対速度に応じて遷移許可識別子を設定することにより、不要な動作を抑制することができる。
【０１４５】
このように、本実施の形態によれば、通信端末装置の相対速度に応じた遷移許可識別子を送信することにより、ネットワークの接続性の低下を防ぐことができるとともに、ネットワークの処理負荷の増大を抑制することができる。
【産業上の利用可能性】
【０１４６】
本発明にかかる通信端末装置及びセル選択方法は、例えば通信端末装置と基地局装置との間に中継局を設けるＬＴＥアドバンスのリレイ方式に好適である。
【符号の説明】
【０１４７】
１００  通信端末装置
１０１  アンテナ
１０２  送受信部
１０３  品質判定部
１０４  報知情報記憶部
【図１】
2012090114.tif 000003
【図２】
2012090114.tif 000004
【図３】
2012090114.tif 000005
【図４】
2012090114.tif 000006
【図５】
2012090114.tif 000007
【図６】
2012090114.tif 000008
【図７】
2012090114.tif 000009
【図８】
2012090114.tif 000010
【図９】
2012090114.tif 000011
【図１０】
2012090114.tif 000012
【図１１】
2012090114.tif 000013
【図１２】
2012090114.tif 000014
【図１３】
2012090114.tif 000015
【図１４】
2012090114.tif 000016
【図１５】
2012090114.tif 000017